(57)【要約】短ＴＲのグラディエントエコー法のよるパルスシーケンスを基本として、テスト傾斜磁場を印加するパルスシーケンスのグループとテスト傾斜磁場を印加しないパルスシーケンスのグループを設け、その少なくとも一方のグループで収集したエコー信号を用いて、時変数を含む三次元または四次元のデータセットを得、テスト傾斜磁場の極性を反転して全体として２種のデータセットを得、それらの位相画像の差分を得、この位相差画像に基き傾斜磁場の立ち下り又は立ち上がり時に誘起される渦電流の大きさと時定数を算出し、傾斜磁場の立ち上がり及び／又は立ち下り時に誘起される渦電流に起因する磁場変化を、特に時定数の長い磁場変化であっても所望の時間分解能で且つ比較的短時間で計測することができる較正パルスシーケンスを備えたＭＲＩ装置を提供する。
2004004563.tif 000002
【特許請求の範囲】
【請求項１】
静磁場中に置かれたファントムと、
計測対象とする渦電流の時定数以上の印加時間を持つ所定軸方向への所定強度を有したテスト傾斜磁場の印加と、前記テスト傾斜磁場の立ち上がりまたは立ち下りに対応して起動されるパルスシーケンスの複数回の繰返しとからなる渦電流計測シーケンスを、位相エンコード量を変えて繰返し実行して前記ファントムを撮像し、前記テスト傾斜磁場の立ち上りまたは立ち下りにより生じた渦電流による磁場の変化情報を含んだ複数の画像データを前記パルスシーケンスの繰返し時間単位で順次計測する渦電流計測手段と、
前記繰返し時間で得られた前記画像データから被検体の撮像時に磁場変化補償コイルへ流す前記渦電流を補償するための電流値を演算により求める補償電流演算手段とを備えたことを特徴とする磁気共鳴イメージング装置。
【請求項２】
前記渦電流計測手段は、前記渦電流計測シーケンスを前記テスト傾斜磁場の極性が正及び負の双方について実行し、得られた画像データ同志で差分演算を行うことを特徴とする請求の範囲第１項に記載の磁気共鳴イメージング装置。
【請求項３】
前記渦電流計測シーケンスには、前記ファントムの所定領域内の核スピンを短い繰返し時間で繰返し励起し、前記核スピンをＳＳＦＰ状態とするパルスシーケンス部を含むことを特徴とする請求の範囲第１項に記載の磁気共鳴イメージング装置。
【請求項４】
前記核スピンをＳＳＦＰ状態とするパルスシーケンス部は、前記ファントムの撮像のためのパルスシーケンスの繰返しと連なって実行されることを特徴とする請求の範囲第３項に記載の磁気共鳴イメージング装置。
【請求項５】
前記磁場不均一情報を含んだ画像データは、位相画像データであることを特徴とする請求の範囲第１項に記載の磁気共鳴イメージング装置。
【請求項６】
前記テスト傾斜磁場は、実際値で印加されることを特徴とする請求の範囲第１項に記載の磁気共鳴イメージング装置。
【請求項７】
前記テスト傾斜磁場は、実効値として印加されることを特徴とする請求の範囲第１項に記載の磁気共鳴イメージング装置。
【請求項８】
前記実効値として印加されるテスト傾斜磁場は、前記繰り返して実行されるパルスシーケンスの各々にパルス状傾斜磁場として包含されていることを特徴とする請求の範囲第７項に記載の磁気共鳴イメージング装置。
【請求項９】
前記繰り返して実行されるパルスシーケンスは、グラジェントエコーシーケンスであることを特徴とする請求の範囲第１項に記載の磁気共鳴イメージング装置。
【請求項１０】
前記渦電流計測シーケンスは、前記テスト傾斜磁場を直交する３軸の傾斜磁場印加方向へ格別に印加して行われることを特徴とする請求の範囲第１項に記載の磁気共鳴イメージング装置。
【請求項１１】
被検体が置かれる空間に静磁場および傾斜磁場をそれぞれ発生する磁場発生手段と、前記被検体の組織を構成する原子の原子核スピンを励起する高周波磁場を発生する送信系と、前記高周波磁場によって被検体から発生するエコー信号を検出する受信系と、検出したエコー信号を用いて前記被検体の組織の画像を再構成する信号処理系と、前記磁場発生手段、送信系、受信系および信号処理系を所定のパルスシーケンスに従い制御する制御手段とを備えた磁気共鳴イメージング装置において、
前記制御手段は、前記パルスシーケンスとして、高周波励起パルスの印加と位相エンコード傾斜磁場及び読み出し傾斜磁場の印加によりエコー信号を発生させた後、テスト傾斜磁場を印加する過程を所定の繰り返し時間で複数回繰り返すパルスシーケンス群を含む較正パルスシーケンスを備え、前記テスト傾斜磁場の極性を変えて全体として２種の較正パルスシーケンスを複数の位相エンコード値でそれぞれ実行し、
前記信号処理系は、前記２種の較正パルスシーケンスの実行によって、それぞれ得たエコー信号のセットから、位相差画像を形成するとともに、前記位相差画像をもとに前記テスト傾斜磁場によって誘起された渦電流の大きさ及びそれらの時定数を算出することを特徴とする磁気共鳴イメージング装置。
【請求項１２】
前記較正パルスシーケンスは、高周波励起パルスの印加と位相エンコード傾斜磁場及び読み出し傾斜磁場の印加によりエコー信号を発生させた後、テスト傾斜磁場を印加する過程を所定の繰り返し時間で複数回繰り返す第１のパルスシーケンス群と、高周波励起パルスの印加と位相エンコード傾斜磁場及び読み出し傾斜磁場の印加によりエコー信号を発生させてそのエコー信号を計測する過程を同一位相エンコード量の印加の下に所定の繰り返し時間で複数回繰り返す第２のパルスシーケンス群とから成り、
前記信号処理系は、前記第１のパルスシーケンス群と第２のパルスシーケンス群を位相エンコード量を変えながら複数回実行し、前記第２のパルスシーケンス群で得たエコー信号のデータから、位相差画像を形成するとともに、前記位相差画像をもとに前記テスト傾斜磁場の立ち下りによって誘起された渦電流の大きさ及びそれらの時定数を算出することを特徴とする請求の範囲第１１項に記載の磁気共鳴イメージング装置。
【請求項１３】
前記制御手段は、テスト傾斜磁場を含むパルスシーケンス群において、エコー信号の計測を行い、
前記信号処理系は、テスト傾斜磁場を含むパルスシーケンス群で得たエコー信号のデータから、位相差画像を形成するとともに、前記位相差画像をもとに前記テスト傾斜磁場の立ち上がりによって誘起された渦電流の大きさ及びそれらの時定数を算出することを特徴とする請求の範囲第１１または１２項に記載の磁気共鳴イメージング装置。
【請求項１４】
前記制御手段は、繰り返し時間を制御して、渦電流に起因する磁場変化を所望の時間分解能で計測することを特徴とする請求の範囲第１１ないし１３項のいずれか１項に記載の磁気共鳴イメージング装置。
【請求項１５】
（１）高周波励起パルスの印加と位相エンコード傾斜磁場及び読み出し傾斜磁場の印加によりエコー信号を発生させる過程を同一位相エンコード量の印加の下に所定の繰り返し時間で複数回繰り返し、
（２）複数の繰り返しの中の少なくとも一部の繰り返しでは、前記過程内でエコー信号発生後に、テスト傾斜磁場を印加し、
（３）テスト傾斜磁場を印加した過程及び／又はテスト傾斜磁場を印加しなかった過程において、エコー信号を収集し、
（４）前記（１）〜（３）のステップを、位相エンコード量を変えて実行し、エコー信号について一組のデータセットを収集し、
（５）前記（１）〜（４）のステップを、さらにテスト傾斜磁場の極性を変えて実行し、エコー信号についてのもう一組のデータセットを収集し、
（６）前記（４）及び（５）のステップで収集したそれぞれの組のエコー信号についてのデータセットを用いて、それぞれ位相画像を作成し、
（７）前記位相画像の差分を取り、一つの位相差画像を作成し、
（８）前記位相差画像に基き、傾斜磁場に起因する磁場変化を補償する補償値を算出することを特徴とする傾斜磁場の印加により誘起される渦電流による磁場変化を補償する方法。
【請求項１６】
前記（８）のステップは、静磁場空間中の２点の磁場変化から、一次勾配成分及び分極成分を算出するステップ、前記一次勾配成分及び分極成分について非線形フィッティングを行い、それぞれの成分について任意数の時定数成分τと時定数毎の振幅Ａに分解するステップを含む請求の範囲第１５項に記載の傾斜磁場の印加により誘起される渦電流による磁場変化を補償する方法。
【請求項１７】
被検体が置かれる空間に静磁場および傾斜磁場をそれぞれ発生する磁場発生系と、前記被検体の組織を構成する原子の原子核スピンを励起する高周波磁場を発生する送信系と、前記高周波磁場の印加によって被検体の組織から発生するエコー信号を検出する受信系と、検出したエコー信号を用いて前記被検体の組織の画像を再構成する信号処理系と、前記磁場発生系、送信系、受信系および信号処理系を所定のパルスシーケンスに従い制御する制御系を備えた磁気共鳴イメージング装置において、
前記制御系は、所定の高周波励起パルスの印加、位相エンコード傾斜磁場および読み出し傾斜磁場の印加、およびこれらの印加によりエコー信号を発生させた後の第１の極性のテスト傾斜磁場の印加から構成された第１のユニットパルスシーケンスが所定の繰り返し時間（ＴＲ）で複数回繰り返される第１のパルスシーケンスグループおよびこの第１のパルスシーケンスグループに続く第１のユニットパルスシーケンスからテスト傾斜磁場の印加を除いて構成された第２のユニットパルスシーケンスが所定の繰り返し時間（ＴＲ’）で複数回繰り返される第２のパルスシーケンスグループの組をそれぞれ位相エンコード傾斜磁場のエンコード量を所定量だけ変えて複数回実行する第１の較正パルスシーケンス、および所定の高周波励起パルスの印加、位相エンコード傾斜磁場および読み出し傾斜磁場の印加、およびこれらの印加によりエコー信号を発生させた後の第２の極性のテスト傾斜磁場の印加から構成された第３のユニットパルスシーケンスが所定の繰り返し時間（ＴＲ）で複数回繰り返される第３のパルスシーケンスグループおよびこの第３のパルスシーケンスグループに続く第３のユニットパルスシーケンスからテスト傾斜磁場の印加を除いて構成された第４のユニットパルスシーケンスが所定の繰り返し時間（ＴＲ’）で複数回繰り返される第４のパルスシーケンスグループの組をそれぞれ位相エンコード傾斜磁場のエンコード量を第１の較正パルスシーケンスのそれに倣って変えて複数回実行する第２の較正パルスシーケンスから構成されるグラジエントエコー法によるパルスシーケンスを基本とする較正パルスシーケンスを有する磁気共鳴イメージング装置。
【請求項１８】
前記第１の較正パルスシーケンス中の第１のパルスシーケンスグループ群のエコー信号から得られた位相画像と前記第２の較正パルスシーケンス中の第３のパルスシーケンスグループ群のエコー信号から得られた位相画像の差から印加されたテスト傾斜磁場立ち上り時に誘起される渦電流成分を、かつ前記第１の較正パルスシーケンス中の第２のパルスシーケンスグループ群のエコー信号から得られた位相画像と前記第２の較正パルスシーケンス中の第４のパルスシーケンスグループ群のエコー信号から得られた位相画像の差から印加されたテスト傾斜磁場立ち下り時に誘起される渦電流成分を計測する請求の範囲第１７項に記載の磁気共鳴イメージング装置。
【請求項１９】
前記第１から第４のユニットパルスシーケンス中で印加される位相エンコード傾斜磁場は一軸方向にエンコード量を所定量だけ変えて印加される請求の範囲第１７項に記載の磁気共鳴イメージング装置。
【請求項２０】
前記第１から第４のユニットパルスシーケンス中で印加される位相エンコード傾斜磁場は二軸方向にエンコード量を所定量だけ変えて印加される請求の範囲第１７項に記載の磁気共鳴イメージング装置。
【請求項２１】
所定の高周波励起パルスの印加，位相エンコード傾斜磁場および読み出し傾斜磁場の印加，およびこれらの印加によりエコー信号を発生させた後の第１の極性のテスト傾斜磁場の印加を含む第１のユニットパルスシーケンスを所定の繰り返し時間（ＴＲ）で複数回繰り返す第１のパルスシーケンスグループおよびこの第１のパルスシーケンスグループに続く第１のユニットパルスシーケンスからテスト傾斜磁場の印加を除いて構成された第２のユニットパルスシーケンスを所定の繰返し時間（ＴＲ′）で複数回繰り返す第２のパルスシーケンスグループの組をそれぞれ位相エンコード傾斜磁場のエンコード量を所定量だけ変えて複数回繰り返す第１の較正パルスシーケンスを関心領域に印加するステップ；
所定の高周波励起パルスの印加，位相エンコード傾斜磁場および読み出し傾斜磁場の印加，およびこれらの印加によりエコー信号を発生させた後の第２の極性のテスト傾斜磁場の印加を含む第３のユニットパルスシーケンスを所定の繰り返し時間（ＴＲ）で複数回繰り返す第３のパルスシーケンスグループおよびこの第３のパルスシーケンスグループに続く第３のユニットパルスシーケンスからテスト傾斜磁場の印加を除いて構成された第４のユニットパルスシーケンスを所定の繰り返し時間（ＴＲ′）で複数回繰り返す第４のパルスシーケンスグループの組をそれぞれ位相エンコード傾斜磁場のエンコード量を第１の較正パルスシーケンスのそれに倣って変えて複数回繰り返す第２の較正パルスシーケンスを同一の関心領域に印加するステップ；
前記第１の較正パルスシーケンス中の第１のパルスシーケンスグループ群のエコー信号から得られた位相画像と前記第２の較正パルスシーケンス中の第３のパルスシーケンスグループ群のエコー信号から得られた位相画像の差から印加されたテスト傾斜磁場立ち上り時に誘起される渦電流成分中の１次勾配成分および分極成分を演算するステップ；
前記第１の較正パルスシーケンス中の第２のパルスシーケンスグループ群のエコー信号から得られた位相画像と前記第２の較正パルスシーケンス中の第４のパルスシーケンスグループ群のエコー信号から得られた位相画像の差から印加されたテスト傾斜磁場立ち下り時に誘起される渦電流成分中の１次勾配成分および分極成分を演算するステップ；
および演算されたそれぞれの１次勾配成分および分極成分に基づいて画像計測時に渦電流を誘起するコイルに流す補償電流値を演算するステップを有する磁気共鳴イメージング装置の磁場を補償する方法。
【発明の詳細な説明】
【技術分野】  この発明は核磁気共鳴現象を利用して被検体の任意の位置の断層像を得るための磁気共鳴イメージング装置（以下、ＭＲＩ装置という）に関し、特に傾斜磁場印加により誘起される渦電流による傾斜磁場波形の歪みに起因する画像の歪み、信号強度の低下、ゴースト等の画質の劣化を防止する技術に関する。
【背景技術】  ＭＲＩ装置は、均一な静磁場中に置かれた被検体に高周波磁場を印加することによって、被検体の任意の領域に存在する原子核（通常プロトン）に核磁気共鳴現象を生じさせ、それによって発生する核磁気共鳴信号（エコー信号）からその領域の断層像を得るものである。この際、特定の領域を選択するために、高周波磁場とともに傾斜磁場を印加し、また計測されるエコー信号へ正確な位置情報を付与するために、傾斜磁場の印加時間及び強度を正確に制御する必要がある。
しかし、現実には傾斜磁場の印加により、傾斜磁場コイル周辺の様々な構造体に減衰性電流が誘起される。誘起されるこのような減衰性電流は渦電流と呼ばれ、静磁場発生用磁石の態様によって異なる時定数成分を持つ。例えば、永久磁石型装置では時定数は１秒程度、また超電導磁石型装置では時定数は２秒程度にも及ぶものがある。これら渦電流は空間的かつ時間的に変化する磁場を発生し、被検体内の核スピンが感じる傾斜磁場を理想状態から逸脱させてしまう。これにより画像の歪み、信号強度の低下、ゴーストの発生などの画質の低下を招く。
このような渦電流に起因する画質の低下を防ぐために、渦電流によって誘起される空間的かつ時間的に変化する磁場を測定し、磁場変化を補償する方法が開発されている。例えば、特開平１０−２７２１２０号公報には、ファントムを静磁場空間へ配置し、テスト傾斜磁場を印加した後に高周波パルスを印加し、それによって生ずるＮＭＲ信号を計測し、テスト傾斜磁場の印加により生じた渦電流がもたらす磁場変化を離散的な時間経過とともに計測し、その磁場変化を補償する補償電流をそれぞれ求め、被検体を撮像する時に印加される傾斜磁場が磁場へ与える影響を排除する技術が開示されている。
この方法では、テスト傾斜磁場を印加した後、高周波（ＲＦ）パルスでファントム内の核スピンを励起し、位相エンコードされた自由誘導減衰信号（ＦＩＤ信号）を所定時間サンプリングする。位相エンコード量を変えてＦＩＤ信号の計測を繰り返し、２次元或いは３次元の一組のデータセットを得る。このＦＩＤ信号は、テスト傾斜磁場により発生した渦電流のほかに、静磁場の不均一や位相エンコード傾斜磁場による渦電流の影響を含んでいる。そこで、テスト傾斜磁場の極性を変えて、同様の計測を行い、もう一組のデータセットを得、二つの計測で得た二組のデータセットの差分を取ることにより、静磁場の不均一や位相エンコード傾斜磁場による渦電流の影響を排除し、テスト傾斜磁場により発生した渦電流の影響のみを含む位相差画像を得る。この位相差画像をもとに、空間的、時間的に分解された渦電流の大きさ及びそれらの時定数を算出し、傾斜磁場コイル及びシムコイルに流す補償電流を算出する。
上記したように、従来の方法では、テスト傾斜磁場を印加した後に、非選択性ＲＦパルスを印加し、三軸方向へ位相エンコードを行い、ＦＩＤ信号を時間経過とともにサンプリングし、時間軸を含む４次元データを取得する動作を繰り返し行なう。
しかし、従来技術において計測されるＦＩＤ信号は時間とともに減衰するので、長い時定数の渦電流を計測するためのＮＭＲ信号レベルが時間とともに小さくなり、すなわり、Ｓ／Ｎが時間の経過とともに低下するので、長い時定数の渦電流の計測精度が低下することが懸念されるものである。
また、傾斜磁場の印加によって誘起される渦電流は、傾斜磁場が立ち上がる時と立ち下がる時に生ずるが、傾斜磁場コイルが配置される周辺の磁石構造体の振動などにより、誘起される立ち上り時と立ち下り時とで渦電流に差異が生ずる場合がある。しかし、上記従来技術は、傾斜磁場が立ち下がる時に誘起される渦電流成分のみを計測対象としているもので、傾斜磁場が立ち上がる時に誘起される渦電流成分によってもたらされる磁場への影響を計測し、補償することについては開示していない。
本発明の目的は、傾斜磁場の立ち上り時及び／又は立ち下り時に誘起される長い時定数を持つ渦電流成分を計測し、それが磁場へもたらす影響を精度良く補償することができるＭＲＩ装置を提供することにある。
【発明の開示】
上記目的を達成するために本発明においては、静磁場空間へファントムを配置し、補償されるべき渦電流の時定数よりも長い時間にわたって所定の傾斜磁場印加軸方向へ所定強度の傾斜磁場を印加し、印加された傾斜磁場のオン及び／またはオフに対応して磁場の空間分布を計測するパルスシーケンスの開始を実行するとともにこのパルスシーケンスを繰返し時間ＴＲで複数回実行することを位相エンコード量を変えて繰返し行い、誘起された渦電流によってもたらされた磁場の変化状態を画像上で計測し、その計測値から磁場の変化状態を逐次補償するために磁場変化補償コイルへ流す電流値を求め、求められた磁場変化補償のための電流値を実際の被検体を撮像するパルスシーケンスの実行に際して磁場変化補償コイルへ供給する。
なお、上記対象とされる渦電流の時定数よりも長い時間にわたり印加される傾斜磁場は、実際の値として印加される形態と、実効的な値として印加される形態のいずれでも良い。
そして、傾斜磁場のオン及び／またはオフによって生ずる渦電流によってもたらされる磁場の空間分布は時間の経過とともに複数の等時間間隔で計測される。
さらに好ましい態様としては、傾斜磁場のオン時に生ずる渦電流によってもたらされる磁場の空間分布の変化の計測は、テスト傾斜磁場の印加を含んだエコー信号を計測するパルスシーケンスを繰返し時間ＴＲで複数（ｎ）回実施することにより、実質的に補償されるべき渦電流の時定数よりも長い時間にわたって傾斜磁場が印加されるようにするとともに、パルスシーケンスを繰返し実行してＭＲ画像を取得し、そのＭＲ画像から渦電流によってもたらされた磁場の空間分布を時間間隔ＴＲで計測し、そして磁場の空間分布を補償するために磁場変化補償コイルへ流す電流値が求められる。
また傾斜磁場のオフ時に生ずる渦電流によってもたらされる磁場変化は、渦電流による磁場変化の計測に先行して、前記傾斜磁場のオン時に生ずる渦電流によってもたらされる磁場変化を含む磁場計測パルスシーケンスをエコー信号を計測しないように変形して実行し、そのパルスシーケンスに続いてエコー信号を計測するパルスシーケンスを繰返し時間ＴＲで繰り返し実行してＭＲ画像を取得し、そのＭＲ画像から渦電流によってもたらされた磁場の変化状況を時間間隔ＴＲで計測し、そして磁場変化を補償するために磁場変化補償コイルへ流す電流値が求められる。
そして、本発明は、傾斜磁場のオン／オフ双方の影響を補償する場合にも、上記傾斜磁場のオン及びオフにおける計測パルスシーケンスを組み合わせて実行することで対応が可能とされている。
【図面の簡単な説明】図１は本発明を適用したＭＲＩ装置の全体概要を示す図；
図２は本発明のＭＲＩ装置における渦電流の計測およびそれに基づく磁場変化の補償手順の一例を示すフロー図；
図３は本発明のＭＲＩ装置に備えられた較正パルスシーケンスの一例を示す図；
図４は本発明のＭＲＩ装置に備えられた較正パルスシーケンスの他の例を示す図；
図５は本発明のＭＲＩ装置に備えられた較正パルスシーケンスの更に他の一例を示す図。
【発明を実施するための最良の形態】  以下、本発明の実施の形態を説明する。
図１は、本発明が適用されるＭＲＩ装置の全体構成を示すブロック図である。このＭＲＩ装置は、主たる構成として、被検体９が置かれる空間に均一な静磁場を発生させる静磁場発生磁気回路１と、静磁場に磁場勾配を与える傾斜磁場発生系２と、被検体９の組織を構成する原子の原子核（通常、プロトン）に核磁気共鳴現象を起こさせる高周波（ＲＦ）磁場を発生する送信系３と、核磁気共鳴現象によって被検体９の組織から発生するエコー信号を受信する受信系４と、受信系４が受信したエコー信号を処理し、前述した組織中の原子核の空間密度やスペクトルを表す画像を作成する信号処理系５と、信号処理系５における各種演算や装置全体の制御を行なうための中央処理装置（ＣＰＵ）７とを備えている。
静磁場発生磁気回路１は、永久磁石、常電導方式又は超電導方式の磁石からなり、被検体９の周りにその体軸方向または体軸と直交する方向に均一な静磁場を発生させる。傾斜磁場発生系２は、ｘ、ｙ、ｚの三軸方向に傾斜磁場を発生するように巻かれた傾斜磁場コイル１０と、それぞれの傾斜磁場コイルを駆動する傾斜磁場電源１１とからなり、後述のシーケンサ６からの命令に従ってそれぞれのコイルの傾斜磁場電源１１を駆動することにより、ｘ、ｙ、ｚの三軸方向の傾斜磁場Ｇｘ、Ｇｙ、Ｇｚを被検体９に印加する。この傾斜磁場の加え方により、被検体９の撮像対象領域（スライス，スラブ）を設定することができるとともに、エコー信号に、位相エンコード、周波数エンコードなどの位置情報を付与することができる。
さらに図示していないが、静磁場発生磁気回路１及び傾斜磁場発生系２には、静磁場の不均一や、傾斜磁場に起因する渦電流により誘起される磁場変化を補償するためのシムコイル（ｘ−ｙコイル、ｚ２コイルなど）が配置されている。なお、傾斜磁場コイル１０は、一次項の補正を行なうシムコイルとしても機能する。
送信系３は、シーケンサ６から送り出される高周波パルスにより被検体９の生体組織を構成する原子の原子核に核磁気共鳴現象を起こさせるために高周波磁場（ＲＦパルス）を照射するもので、高周波発振器１２と、変調器１３と、高周波増幅器１４と、送信側の高周波コイル１５とからなる。送信系３では、高周波発振器１２から出力された高周波パルスを変調器１３で振幅変調し、この振幅変調された高周波パルスを高周波増幅器１４で増幅した後に被検体９に近接して配置された高周波コイル１５に供給することにより、高周波磁場（ＲＦ電磁波パルス）を被検体９に照射する。
受信系４は、被検体９から核磁気共鳴により放出されるエコー信号（ＮＭＲ信号）を検出するもので、受信側の高周波コイル１６と、増幅器１７と、直交位相検波器１８と、Ａ／Ｄ変換器１９とからなる。受信系４では、高周波コイル１６で検出したエコー信号を増幅器１７及び直交位相検波器１８を介してＡ／Ｄ変換器１９に入力してディジタル信号に変換し、二系列の収集データとして信号処理系５に送る。
信号処理系５は、ＣＰＵ７と、ＲＯＭ２０、ＲＡＭ２１、光ディスク２２及び磁気ディスク２４等の記録装置と、ＣＲＴ等のディスプレイ２３とからなり、ＣＰＵ７でフーリエ変換、補正係数計算、像再構成等の処理を行い、得られた画像をディスプレイ２３に表示する。ＲＯＭ２０は、画像解析処理及び計測を行うプログラムやその実行において用いられるパラメータなどを記憶する。ＲＡＭ２１は予備計測で得た計測パラメータや受信系４で検出したエコー信号及び関心領域設定に用いる画像等を一時保管するとともにその関心領域を設定するためのパラメータなどを記憶する．光ディスク２２及び磁気ディスク２４は、ＣＰＵ７で再構成された画像を記憶するデータ格納部となる。操作部８は、操作者が撮影のためのパルスシーケンスの選択指令やパラメータを入力するとともに、信号処理系５で行う処理の制御情報を入力するもので、トラックボールまたはマウス２５及びキーボード２６等から成る。
ＣＰＵ７は、上記演算のほかに、被検体９の断層像のデータ収集に必要な種々の命令を、シーケンサ６を介して、傾斜磁場発生系２、送信系３および受信系４に送る。シーケンサ６は、撮像法によって決まる所定の制御のタイムチャートであるパルスシーケンスに則って、傾斜磁場発生系２、送信系３および受信系４を制御し、画像再構成に必要なデータの収集を制御する。
本発明のＭＲＩ装置では、パルスシーケンスとして、通常の撮像シーケンスのほかに、ＭＲＩ装置据付け時、改造時、部品の交換時等に実行される傾斜磁場に起因する渦電流を計測するための較正パルスシーケンスが含まれている。これらのパルスシーケンスは、プログラムとしてＲＯＭ２０内に組み込まれている。
次に、このような構成のＭＲＩ装置が実行する渦電流の計測とそれに基づく磁場変化の補償法について説明する。図２は、渦電流の計測とそれに基づく磁場変化の補償の手順を示すフロー図であり、図３は渦電流によってもたらされる時間的、空間的な磁場変化を計測するための較正パルスシーケンスの一例を示す図である。なお、この較正パルスシーケンスは、傾斜磁場の立ち下り時に生ずる渦電流を計測するために好適なパルスシーケンスの態様を示すもので、傾斜磁場の立ち上り時に生ずる渦電流を計測するためには、このパルスシーケンスを変形して用いることができる。その変形の態様は、後に説明する。
まず較正パルスシーケンスを実行することにより、渦電流の計測を行なう（ステップ２０１〜２０７）。この計測は静磁場中心に通常のファントムを配置して行なわれる。ファントムは、磁化率の影響を最小限にするため球状のものが好ましい。
較正パルスシーケンスは、図３に示すように、グラディエントエコー法による短ＴＲパルスシーケンスを基本とし、テスト傾斜磁場を印加するユニット（グループ１という）とテスト傾斜磁場を印加しないユニット（グループ２という）からなる。
先ず、傾斜磁場の立ち下り時に生ずる渦電流の計測を行う場合について説明する。この場合、グループ１のユニットは、テスト傾斜磁場の印加のために存在する。テスト傾斜磁場は所定の軸方向へ所定強度で印加することが必要で、最も単純には、テスト傾斜磁場はグループ２の前に少なくとも１回印加される必要があり、しかも傾斜磁場の立ち上り時の渦電流が消滅した後に傾斜磁場が立ち下がるように印加される必要がある。このためには、図３にＧｅｆｆなる符号を付した傾斜磁場のように例えば計測対象とする渦電流の時定数が２秒であれば、２秒以上の時間にわたり傾斜磁場を印加することとなる。しかし、傾斜磁場を２秒間もの長い時間にわたり発生させると、大電流を長時間にわたり傾斜磁場コイルへ流すことから、それによる悪影響、例えば傾斜磁場コイルに発生する熱や、その熱による傾斜磁場コイルの変形や断線が懸念される。
そこで本実施形態では、テスト傾斜磁場をパルス状に分割して複数回に分けて印加し、実効的な傾斜磁場Ｇｅｆｆが時間的に連続して印加されるようにする。これによって、傾斜磁場の立ち上り時の渦電流が消滅した時点で傾斜磁場をオフできるようにし、それによってグループ２では傾斜磁場の立ち下りによって生じた渦電流のみを計測できるようにしている。以下、以上の説明を前提として、さらに詳細な説明を行なう。
グループ１のユニットのパルスシーケンスでは、まずＲＦ励起パルス１０１とスライス選択傾斜磁場１０２を用いてファントムの任意断面を励起し、位相エンコード傾斜磁場１０３を印加して励起された核スピンを位相方向にエンコードした後、読み出し方向傾斜磁場１０４の印加によってエコー信号１０６を発生させた後（但し、このエコー信号はサンプリングしない）、所定の強度、印加時間でテスト傾斜磁場１０５１を印加する。同じシーケンスを繰り返し時間ＴＲ（例えば、ＴＲ＝１０ｍｓ）で複数回（ｎ回、例えばｎ＝３００）繰り返し行い、それらの繰返しにおいてテスト傾斜磁場を１０５２（図示省略）〜１０５ｎまで印加する。したがってグループ１を１回実行する時間は３秒となる。この繰り返しにおいて位相エンコード傾斜磁場１０３は同一印加量に維持される。グループ１で繰り返して印加されたテスト傾斜磁場１０５によって核スピンが感じる傾斜磁場は、各ユニットのパルスシーケンスでの強度及び印加時間をＧｔｅｓｔ、ｔＧとすると、実効的な磁場強度Ｇｅｆｆ＝Ｇｔｅｓｔ×ｔＧ／ＴＲを有する傾斜磁場を時間ＴＲ×ｎ回連続的に印加したのとほぼ同等になる。そして、繰返し時間ＴＲを１０ｍｓ、ｎを３００とすると、実効的な傾斜磁場Ｇｅｆｆは、ほぼ３秒に近い時間だけ連続的に印加されたと見做せることから、実効的な傾斜磁場Ｇｅｆｆの立ち上り時に誘起された時定数が２秒の渦電流は実効的な傾斜磁場Ｇｅｆｆの立ち下り時には消滅していると考えることができる。なお、このテスト傾斜磁場１０５の印加、すなわちＧｅｆｆによる渦電流は、Ｇｅｆｆの印加の立ち上りから、及び立ち下りから発生し、図３に示すように減衰する。
このグループ１において、スライス選択性のＲＦ励起を含むグラディエントエコーシーケンスを１０ｍｓの短い繰返し時間ＴＲで１００回程度を越える３００回も繰り返して行なっているので、ファントム内の繰り返し選択励起された領域の核スピンが定常歳差運動（Ｓｔｅａｄｙ  Ｓｔａｔｅ  Ｆｒｅｅ  Ｐｒｅｃｅｓｓｉｏｎ：ＳＳＦＰ）状態となり、グループ２において計測されるエコー信号は不安定な振動状態から脱した安定したものとなっているという効果がもたらされる。
このグループ１のパルスシーケンス群の実行が終了した後、グループ２のパルスシーケンス群が実行される。グループ２では、グループ１と同じように、グループ１で行なったのと同じファントムの断面に対しＲＦ励起パルス１０１、スライス選択傾斜磁場１０２及び位相エンコード傾斜磁場１０３を印加した後、読み出し方向傾斜磁場１０４の印加によってエコー信号１０６を発生させ、サンプリング期間１０７でエコー信号１０６を計測する。このＴＲ’（１）に引き続いて、その後、ＴＲ’（１）と同様にテスト傾斜磁場を印加することなく、同じパルスシーケンスを繰り返し時間ＴＲ’（＝ＴＲ）で複数回（ｎ回、例えば３００回）繰り返す。このグループ２における各ユニットのパルスシーケンスによりとられる位相エンコード傾斜磁場１０３の印加量はグループ１におけるそれと同一である。このグループ２で繰返し時間ＴＲ′毎に計測される信号は同一レベルのエコー信号であるので、前述の従来技術のＦＩＤ信号を時刻ｔｉ毎にサンプリングした信号とは異なり時間の経過とともにレベル変化を生じない。したがって、Ｓ／Ｎも一定であり、長い時定数の渦電流を精度良く計測できる。
そして、グループ１とグループ２からなる較正パルスシーケンスを単位として単位毎に位相エンコード量を変えてｍ回（ｍは、例えば６４）繰り返すことにより最終的に時変数を含む三次元のデータセットＳ（ｋｘ，ｋｙ，ｔｉ）を得る（ステップ２０１）。ここでｋｘ、ｋｙは空間周波数であり、ｔｉはグループ２でＴＲ’ごとに取得したエコー信号を順次並べた際の離散的な時間点（ｉ＝１，２，３・・・ｎ）を示している。即ち、このデータセットは、測定時間（グループ２を実行する時間ＴＲ’ｘｎ）における空間的磁場変化を時間分解したものであり、繰り返し回数ｎと繰り返し時間ＴＲ’を設定することにより、磁場変化の測定時間と時間分解能を任意に設定することが可能である。
こうして計測した磁場変化のデータセットには、グループ１で印加したテスト傾斜磁場の立ち下りによる渦電流に起因する磁場変化が含まれるが、同様に静磁場の不均一による影響と画像化のために印加した傾斜磁場１０２、１０３、１０４に起因する渦電流の影響も含まれてる。
そこで、図３中に点線で示すように、テスト傾斜磁場１０５を負極性にして、グループ１とグループ２からなる一連の較正パルスシーケンスをテスト傾斜磁場１０５の正極性のときと同様に実行する（ステップ２０２）。以下、テスト傾斜磁場１０５が正である較正パルスシーケンスを、Ｓｃａｎ（＋）といい、テスト傾斜磁場１０５が負である較正パルスシーケンスをＳｃａｎ（−）という。次に、これらＳｃａｎ（＋）で得たデータセットＳ＋（ｋｘ，ｋｙ，ｔｉ）と、Ｓｃａｎ（−）で得たデータセットＳ−（ｋｘ，ｋｙ，ｔｉ）との差分を取るために、まずこれらデータセットを各時間点ｔｉ毎に、２次元フーリエ変換し、時間分解された２次元複素画像データＩ＋（ｘ，ｙ，ｔｉ）、Ｉ−（ｘ，ｙ，ｔｉ）を得る（ステップ２０３、２０４）。これら複素画像データの実部と虚部との比のアークタンジェントから各時間点の位相画像データφ＋（ｘ，ｙ，ｔｉ）、φ−（ｘ，ｙ，ｔｉ）を得る（ステップ２０５、２０６）。次いでこれらの差分をとり、静磁場の不均一による影響と画像化のために印加した傾斜磁場に起因する渦電流の影響を排除したデータセットφ（ｘ，ｙ，ｔｉ）（＝［φ＋（ｘ，ｙ，ｔｉ）−φ−（ｘ，ｙ，ｔｉ）］／２）を得る（ステップ２０７）。φ（ｘ，ｙ，ｔｉ）は、位置（ｘ，ｙ）、時刻ｔｉにおける、テスト傾斜磁場が立ち下がる際に誘起された渦電流に起因した磁場変化Ｂ（ｘ，ｙ，ｔｉ）によるＴＥ（エコー時間）間の位相変化量を示している。即ち、Ｂ（ｘ，ｙ，ｔｉ）は、Ｂ（ｘ，ｙ，ｔｉ）＝φ（ｘ，ｙ，ｔｉ）／γＴＥで与えられる。なお、γは回転磁気比である。これにより、ＴＲを時間分解能とする、グループ１で印加したテスト傾斜磁場による渦電流に起因する空間的な（２次元の）磁場変化が計測される。
次にこの計測結果である位相差画像を用いて、傾斜磁場コイルまたはシムコイルに供給する補償電流を算出する（ステップ２０８〜２１０）。そして、実際の被検体についての画像計測時にステップ２１０において求められた補償電流を傾斜磁場コイルまたはシムコイルに流す（ステップ２１１）。傾斜磁場コイルまたはシムコイルへ流す補償電流は、テスト傾斜磁場と画像計測時の傾斜磁場の比、またはそれらの傾斜磁場印加のために傾斜磁場コイルへ流す電流の比から求められる。
磁場変化から、それを補償する磁場を発生する補償電流を求める手法としては、公知の手法を採用してもよいし、図２に示した簡略化した手法を採用しても良い。公知の手法として、例えば、先に言及した特開平１０−２７２１２０号公報にも示されている一般的な手法を簡単に説明する。まず所定の時間点ｔｉにおいて、渦電流によって誘起される磁場Ｂｔ（ｘ，ｙ）を次式で示すように球面調和関数の和として表す。
2004004563.tif 000003
このような球面調和関数展開を各時間点について行い、時間に依存する球面調和関数の係数ζのセットを得る。各係数ζは、空間的に分解された渦電流の大きさ及びそれらの時定数に関係付けられることが知られており、この関係から補償電流を求める。この手法は、高次の補正が可能で補正の精度が高いが、解析に時間がかかり、高次項の補正コイルが必要である。
図２に示した簡略化した解析法を説明する。一例として、Ｘ軸にテスト傾斜磁場１０５を印加した場合について説明する。この方法では、Ｘ軸にテスト傾斜磁場１０５を印加したときに生じる渦電流のうち、Ｘ方向の一次勾配成分ｇ（ｔｉ）と分極成分ＢＯ（ｔｉ）だけを補償する。
このため、位置ｘ、時間ｔｉにおける磁場変化Ｂ（ｘ，ｔｉ）を、Ｂ（ｘ，ｔｉ）＝ｇ（ｔｉ）ｘ＋ＢＯ（ｔｉ）と仮定し、静磁場空間中の任意の２点ｘ１、ｘ２における磁場変化Ｂ（ｘ１，ｔｉ）、Ｂ（ｘ２，ｔｉ）から、次式によりｇ（ｔｉ）とＢＯ（ｔｉ）を算出する。（ステップ２０８）。
2004004563.tif 000004
ここでｘ１＝−ｘ２を満たす２点を選ぶと、ＢＯ（ｔｉ）の計算が更に容易になる。
こうして算出したｇ（ｔｉ）、ＢＯ（ｔｉ）に対して、公知の非線形フィッティング（例えばＬｅｖｅｎｂｅｒｇ−Ｍａｒｑｕａｒｄｔ法）を用いて、次式のように、任意数の時定数成分τとそれら時定数毎の振幅Ａ，Ｂに分解する（ステップ２０９）。
ｇ（ｔｉ）＝ΣＡｊ・ｅｘｐ（ｔ／τｊ）＋ｇＯ              ・・・（３ａ）
ＢＯ（ｔｉ）＝ΣＢｍ・ｅｘｐ（ｔ／τｍ）＋ＢＯ            ・・・（３ｂ）
式中、ｇＯ及びＢＯは定数項である。
この時定数と振幅との逆極性の補償電流をＸ軸方向の傾斜磁場コイル或いはシムコイルに供給し、渦電流に起因する磁場変化を補正する（ステップ２１０、２１１）。
この手法は、前述した球面調和関数展開を用いる手法に比べ簡便であり、しかも渦電流に起因する画質劣化を十分改善できる。
以上の説明では、ｘ軸をリードアウト軸方向とし、ｘ軸における傾斜磁場の印加により生ずる渦電流を補償する方法を説明したが、被検体のイメージングのためには傾斜磁場がｘ、ｙ、ｚの３軸へ印加されるので、ｙ軸及びｚ軸についても傾斜磁場印加により生ずる渦電流を補償することが必要である。そのためには、図３におけるリードアウト方向をｙ軸及びｚ軸に個別に置き換えて同様に計測を行なうことで対応することができる。
以上の実施形態では、渦電流に起因する２次元空間の磁場変化を補正する場合を説明したが、本説明は３次元空間の磁場変化についても同様に適用することができる。以下、３次元の場合の実施形態を説明する。図４に３次元の場合の較正パルスシーケンスを示す。図４においては、有効テスト傾斜磁場強度Ｇｅｆｆと渦電流の関係は図３と同じであるので図示は省略されている。
この実施形態においても、較正パルスシーケンスは、テスト傾斜磁場４０５を印加するグループ１のパルスシーケンスと、テスト傾斜磁場を印加せずにエコー信号４０６を計測するグループ２のパルスシーケンスとから成る。但し、この実施形態では、ＲＦ励起パルスとして非選択ＲＦ励起パルス４０１を用い、２軸方向のエンコード傾斜磁場４０２、４０３を用いる。
グループ１、グループ２のパルスシーケンスをそれぞれ同一エンコード値で行い、各時間点ｔｉにおけるエコー信号（ｎ個の信号）を得る。各軸の位相エンコード値を変えてパルスシーケンスを繰り返し、最終的に時変数を含む四次元のデータセットＳ（ｋｘ，ｋｙ，ｋｚ，ｔｉ）を得る。この場合にも、テスト傾斜磁場による渦電流以外の渦電流等の影響を排除するために、テスト傾斜磁場の極性を反転させて二つの計測Ｓｃａｎ（＋）、Ｓｃａｎ（−）を行なう。
これら二つの計測で得たデータセットＳ＋（ｋｘ，ｋｙ，ｋｚ，ｔｉ）、Ｓ−（ｋｘ，ｋｙ，ｋｚ，ｔｉ）に対し、時間点毎に３次元フーリエ変換を行い、３次元複素画像データを得、さらに位相画像データφ＋（ｘ，ｙ，ｚ，ｔｉ）、φ−（ｘ，ｙ，ｚ，ｔｉ）を得る。これらの位相画像データの差分から位相差画像データを作成し、任意の位置（ｘ，ｙ，ｚ）、時間ｔｉにおける磁場Ｂ（ｘ，ｙ，ｚ，ｔｉ）を算出する。
こうして算出した磁場Ｂ（ｘ，ｙ，ｚ，ｔｉ）に対し、球面調和関数展開を利用した解析或いは図２の実施形態において説明した簡略化した解析法を適用し、任意数の時定数成分とそれらの時定数毎の振幅に分解する。この時定数と振幅（電流の大きさ）の補償電流を傾斜磁場コイル或いはシムコイルに供給することにより、渦電流に起因する磁場変化を補正する。
以上、図２〜図４を参照して、傾斜磁場の立ち下がりによる渦電流の影響を補正する実施形態を説明したが、本発明のＭＲＩ装置では傾斜磁場の立ち上がりによる渦電流の影響を補正することも可能である。以下、そのような実施形態を図５を参照して説明する。
図５は、傾斜磁場の立ち上がりによる渦電流を計測するための較正パルスシーケンスの一例を示す図である。図示するように、この較正パルスシーケンスもグループ１のパルスシーケンスとグループ２のパルスシーケンスから成り、各グループのパルスシーケンスは、ＲＦ励起パルス５０１、画像形成のための傾斜磁場５０２〜５０４を含むことは図３及び図４の較正パルスシーケンスと同様である。但し、この実施形態では、グループ１のパルスシーケンスでテスト傾斜磁場５０５（５０５１〜５０５ｎ）を印加するとともに、それに先立って読み出し傾斜磁場５０４の印加によって発生したエコー信号５０６をサンプリング５０７する。グループ２のパルスシーケンスでは、図３の較正パルスシーケンスと同様に、テスト傾斜磁場は印加せず、エコー信号５０６もサンプリングしない。すなわち、グループ２のパルスシーケンスは、図３で説明したと同様に、短ＴＲで繰り返して励起することで核スピンをＳＳＦＰ状態にし、グループ１で計測されるエコー信号を安定状態にするために行われる。
このときグループ１のパルスシーケンスでのテスト傾斜磁場５０５１〜５０５ｎは、有効強度Ｇｅｆｆ＝Ｇｔｅｓｔ×ｔＧ／ＴＲを有する傾斜磁場を時間ＴＲ×ｎ回連続的に印加したの同等であり、グループ１のパルスシーケンスで計測されるエコー信号には、このようなテスト傾斜磁場５０５の立ち上がり時に誘起される渦電流に起因する磁場変化が含まれることになる。
この場合にもエコー信号には、テスト傾斜磁場に起因する磁場変化以外の磁場変化（静磁場不均一性や画像形成用傾斜磁場による磁場変化）を含んでいるので、これらを除去するために、テスト傾斜磁場の極性を変えて較正パルスシーケンスを実行し、それぞれで得たデータセットの差分を取る。この場合、図５の較正パルスシーケンスでは、グループ１のパルスシーケンスで、位相エンコード値毎の時間分解されたデータが得られるので、これを時変数を含む三次元データとして、その後の補償電流の算出に用いる。位相差画像データから、補償電流の振幅及びそれらの時定数を求める手法は、図２の実施形態で説明した手法と全く同様である。
このように本較正パルスシーケンスによれば、傾斜磁場の立ち上がり時に誘起される渦電流についても適切に補正を行うことができる。尚、テスト傾斜磁場の立ち上がり及び立ち下りによる両方の渦電流を計測する場合には、図５に示すグループ１のパルスシーケンスと図３に示すグループ２のパルスシーケンスとをつなぎ合わせた較正パルスシーケンスを実行すればよいことは容易に理解されるであろう。
また図５の較正パルスシーケンスでは１軸について位相エンコードする場合（２次元計測の場合）を示したが、本実施例についても、図４に示すような３次元計測を適用することができる。
本発明の本質は、傾斜磁場の立ち上がり時の渦電流を計測する場合には、テスト傾斜磁場印加を併っている較正パルスシーケンス中にその渦電流成分を含むエコー信号を計測することであり、また傾斜磁場の立ち下り時の渦電流を計測する場合は、テスト傾斜磁場印加を併った較正パルスシーケンス終了後、テスト傾斜磁場印加を併わない較正パルスシーケンス中に先の傾斜磁場印加によるその渦電流成分を含むエコー信号を計測することであるので、立ち上がり時の渦電流計測においては図５のグループ２のパルスシーケンス群に代えて待ち時間を置き、立ち下り時の渦電流計測においては図３のグループ１のパルスシーケンスに代えて単にテスト傾斜磁場を印加するようにしても本発明は実施可能であるが、上述した実施形態によれば短時間で核スピンを繰り返して励起するので核スピンの定常状態自由歳差運動（ＳＳＲＰ）が維持され、得られる信号のＳ／Ｎが改善され、その結果、補償が正確に行なえるという効果が生じる。
本発明によれば、短ＴＲのグラディエントエコー法によるパルスシーケンスを基本として、テスト傾斜磁場を印加するパルスシーケンスのグループとテスト傾斜磁場を印加しないパルスシーケンスのグループを設け、その少なくとも一方のグループで収集したエコー信号を用いることにより、時定数の長い渦電流を比較的短い測定時間で測定することができ、しかも傾斜磁場の立ち下りのみならず立ち上がり時に誘起される渦電流についても同様に計測することができる。
【図１】
2004004563.tif 000005
【図２】
2004004563.tif 000006
【図３】
2004004563.tif 000007
【図４】
2004004563.tif 000008
【図５】
2004004563.tif 000009
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
静磁場中に置かれたファントムと、
計測対象とする渦電流の時定数より短い印加時間を持つ所定軸方向への所定強度を有した一連のユニットのテスト傾斜磁場から構成される計測対象とする渦電流の時定数より長い印加時間を持つ実効テスト傾斜磁場の印加と、前記実効テスト傾斜磁場の立ち上がりまたは立ち下りに対応して起動されるパルスシーケンスの複数回の繰返しとからなる渦電流計測シーケンスを、位相エンコード量を変えて繰返し実行して前記ファントムを撮像し、前記実効テスト傾斜磁場の立ち上りまたは立ち下りにより生じた渦電流による磁場の変化情報を含んだ複数の画像データを前記パルスシーケンスの繰返し時間単位で順次計測する渦電流計測手段と、
前記繰返し時間で得られた前記画像データから被検体の撮像時に磁場変化補償コイルへ流す前記渦電流を補償するための電流値を演算により求める補償電流演算手段とを備えたことを特徴とする磁気共鳴イメージング装置。
【請求項２】
前記渦電流計測手段は、前記渦電流計測シーケンスを前記テスト傾斜磁場の極性が正及び負の双方について実行し、得られた画像データ同志で差分演算を行うことを特徴とする請求の範囲第１項に記載の磁気共鳴イメージング装置。
【請求項３】
前記渦電流計測シーケンスには、前記ファントムの所定領域内の核スピンを短い繰返し時間で繰返し励起し、前記核スピンをSSFP状態とするパルスシーケンス部を含むことを特徴とする請求の範囲第１項に記載の磁気共鳴イメージング装置。
【請求項４】
前記核スピンをSSFP状態とするパルスシーケンス部は、前記ファントムの撮像のためのパルスシーケンスの繰返しと連なって実行されることを特徴とする請求の範囲第３項に記載の磁気共鳴イメージング装置。
【請求項５】
前記磁場不均一情報を含んだ画像データは、位相画像データであることを特徴とする請求の範囲第１項に記載の磁気共鳴イメージング装置。
【請求項６】
被検体が置かれる空間に静磁場および傾斜磁場をそれぞれ発生する磁場発生手段と、前記被検体の組織を構成する原子の原子核スピンを励起する高周波磁場を発生する送信系と、前記高周波磁場によって被検体から発生するエコー信号を検出する受信系と、検出したエコー信号を用いて前記被検体の組織の画像を再構成する信号処理系と、前記磁場発生手段、送信系、受信系および信号処理系を所定のパルスシーケンスに従い制御する制御手段とを備えた磁気共鳴イメージング装置において、
前記制御手段は、前記パルスシーケンスとして、高周波励起パルスの印加と位相エンコード傾斜磁場及び読み出し傾斜磁場の印加によりエコー信号を発生させた後、テスト傾斜磁場を印加する過程を所定の繰り返し時間で複数回繰り返すパルスシーケンス群を含む較正パルスシーケンスを備え、前記テスト傾斜磁場の極性を変えて全体として２種の較正パルスシーケンスを複数の位相エンコード値でそれぞれ実行し、
前記信号処理系は、前記２種の較正パルスシーケンスの実行によって、それぞれ得たエコー信号のセットから、位相差画像を形成するとともに、前記位相差画像をもとに前記テスト傾斜磁場によって誘起された渦電流の大きさ及びそれらの時定数を算出することを特徴とする磁気共鳴イメージング装置。
【請求項７】
前記較正パルスシーケンスは、高周波励起パルスの印加と位相エンコード傾斜磁場及び読み出し傾斜磁場の印加によりエコー信号を発生させた後、テスト傾斜磁場を印加する過程を所定の繰り返し時間で複数回繰り返す第１のパルスシーケンス群と、高周波励起パルスの印加と位相エンコード傾斜磁場及び読み出し傾斜磁場の印加によりエコー信号を発生させてそのエコー信号を計測する過程を同一位相エンコード量の印加の下に所定の繰り返し時間で複数回繰り返す第２のパルスシーケンス群とから成り、
前記信号処理系は、前記第１のパルスシーケンス群と第２のパルスシーケンス群を位相エンコード量を変えながら複数回実行し、前記第２のパルスシーケンス群で得たエコー信号のデータから、位相差画像を形成するとともに、前記位相差画像をもとに前記テスト傾斜磁場の立ち下りによって誘起された渦電流の大きさ及びそれらの時定数を算出することを特徴とする請求の範囲第６項に記載の磁気共鳴イメージング装置。
【請求項８】
前記制御手段は、テスト傾斜磁場を含むパルスシーケンス群において、エコー信号の計測を行い、
前記信号処理系は、テスト傾斜磁場を含むパルスシーケンス群で得たエコー信号のデータから、位相差画像を形成するとともに、前記位相差画像をもとに前記テスト傾斜磁場の立ち上がりによって誘起された渦電流の大きさ及びそれらの時定数を算出することを特徴とする請求の範囲第６または７項に記載の磁気共鳴イメージング装置。
【請求項９】
前記制御手段は、繰り返し時間を制御して、渦電流に起因する磁場変化を所望の時間分解能で計測することを特徴とする請求の範囲第６ないし８項のいずれか１項に記載の磁気共鳴イメージング装置。
【請求項１０】
傾斜磁場を発生する手段と、前記傾斜磁場の発生に伴って誘起される渦電流に基づく不整磁場を、補償電流を流すことによって補償する補償手段を備えた磁気共鳴イメージング装置における渦電流補償導出方法であって、以下の工程を含む。
静磁場中にファントムを配置する工程と、
位相エンコード傾斜磁場を印加して前記ファントムの画像データを取得する基本シーケンスの少なくとも一軸にテスト傾斜磁場を追加した第１のシーケンスを複数回繰り返す第１の工程と、
前記基本シーケンスに前記テスト傾斜磁場を追加しない第２のシーケンスを複数回繰り返す第２の工程と、
前記位相エンコード傾斜磁場を変えて前記第１の工程と前記第２の工程とを繰り返す工程と、
前記第１のシーケンスと前記第２のシーケンスの内の少なくとも一方において取得された前期画像データに基づいて、前記テスト傾斜磁場によって誘起された渦電流に基づく前記不整磁場の空間的・時間的変動を求める工程と、
前記求められた不整磁場の空間的・時間的変動から前記補償電流の値を求める工程と、を備えたことを特徴とする磁気共鳴イメージング装置における渦電流補償動導出方法。
【請求項１１】
請求項１０に記載の磁気共鳴イメージング装置における渦電流補償導出方法において、
前記第１のシーケンスの繰り返し時間を、計測対象とする渦電流の時定数よりも短くし、
前記第１のシーケンスを連続して繰り返す期間を、少なくとも前記計測対象とする渦電流の時定数よりも長くすることを特徴とする磁気共鳴イメージング装置における渦電流補償導出方法。
【請求項１２】
請求項１０又は１１に記載の磁気共鳴イメージング装置における渦電流補償導出方法において、
前記テスト傾斜磁場の極性を変えて、前記第１の工程と前記第２の工程とを実行する工程を含み、
前記不整磁場の空間的・時間的変動を求める工程は、前記テスト傾斜磁場の極性の異なる一対の画像データから前記不整磁場の空間的・時間的変動を求めることを特徴とする磁気共鳴イメージング装置における渦電流補償導出方法。
【国際調査報告】
2004004563.tif 000010
2004004563.tif 000011
2004004563.tif 000012
2004004563.tif 000013